【手続補正書】
【提出日】平成17年9月8日(2005.9.8)
【手続補正１】
【補正対象書類名】明細書
【補正対象項目名】発明の名称
【補正方法】変更
【補正の内容】
【発明の名称】情報閲覧表示装置、情報閲覧表示方法、プログラムおよび記録媒体
【手続補正２】
【補正対象書類名】明細書
【補正対象項目名】特許請求の範囲
【補正方法】変更
【補正の内容】
【特許請求の範囲】
【請求項１】  表示装置とともに用いられ、
前記表示装置上に表示された情報ページのロケーション情報が履歴情報内のロケーション情報と一致するかを調べるための解析手段と、
前記解析手段によって、前記情報ページのロケーション情報が前記履歴情報内のロケーション情報と一致すると判定されたことに応答して、前記解析手段により得られた前記履歴情報内のロケーション情報に対して記録されている戻り先のロケーション情報と、前記表示された情報ページからの戻り先のロケーション情報とを組み合わせて、前記表示された情報ページの戻り先として前記履歴情報に記録するための記録手段とを含む、情報閲覧表示装置。
【請求項２】  前記履歴情報に記録された複数の戻り先の一つをユーザに選択させるための選択手段と、
前記選択手段によりユーザにより選択された戻り先に対応するロケーション情報により特定される情報ページを前記表示装置上に表示するための手段とをさらに含む、請求項１に記載の情報閲覧表示装置。
【請求項３】  前記選択手段は、
前記履歴情報に記録された複数の戻り先の一覧を表示装置上に表示するための手段と、
前記表示装置上に表示された前記複数の戻り先の一覧の中から１つをユーザに選択させるための手段とを含む、請求項２に記載の情報閲覧表示装置。
【請求項４】  前記記録手段は、
表示された情報ページが、前記履歴情報にロケーション情報が記録されている情報ページのいずれかに対して階層的に上位かどうかを分析するための分析手段と、
前記分析手段により、前記表示された情報ページが前記履歴情報にロケーション情報が記録されている情報ページのいずれかに対して階層的に上位であると判定されたことに応答して、前記表示された情報ページが階層的に上位の情報ページであることを示す情報とともに前記表示された情報ページのロケーション情報を前記履歴情報に記録するための手段とを含む、請求項１に記載の情報閲覧表示装置。
【請求項５】  ユーザの操作に応答して、表示されている情報ページの上位の情報ページの表示を要求する信号を発生するための要求信号発生手段と、
前記信号に応答して、前記記録するための手段によって記録された履歴情報により、現在表示されている情報ページの上位の情報ページである情報ページのロケーション情報を検索し、当該ロケーション情報で示される情報ページを表示するための手段とをさらに含む、請求項４に記載の情報閲覧表示装置。
【請求項６】  ユーザの操作に応答して、表示されている情報ページからの戻り先のロケーション情報により特定される情報ページを表示することを要求する信号を発生するための手段と、
前記信号に応答して、前記表示されている情報ページからの戻り先が、履歴情報に複数記録されているか、単数記録されているかを判定するための手段と、
前記判定するための手段により、戻り先が単数記録されていると判定されたことに応答して、当該記録されている単数の戻り先を指定するための第１の手段と、
前記判定するための手段により、前記戻り先が複数記録されていると判定されたことに応答して、当該記録されている複数の戻り先の一つを指定するための第２の手段と、
前記第１の手段又は第２の手段により戻り先が指定されたことに応答して、当該指定された戻り先に対応するロケーション情報により特定される情報ページを前記表示装置上に表示するための手段とをさらに含む、請求項１に記載の情報閲覧表示装置。
【請求項７】  表示装置ととともに用いられ、
前記表示装置上に表示された情報ページのロケーション情報の履歴を記録するための履歴記録手段と、
前記表示装置上に表示している情報ページを変更するための指示を入力するための変更指示入力手段と、
前記変更指示入力手段により前記指示が入力されたことに応答して、前記履歴記録手段により記録されたロケーション情報の中で、現在表示している情報ページのロケーション情報と一致する第１のロケーション情報を検索し、さらに検索された前記第１のロケーション情報に対する戻り先として前記履歴記録手段により記録された第２のロケーション情報を検索し、前記第２のロケーション情報が示す情報ページを前記表示装置上に表示するための手段とを含む、情報閲覧表示装置。
【請求項８】  情報処理装置により実行されると、当該情報処理装置を、請求項１から請求項７のいずれかに記載の情報閲覧表示装置として動作させる、情報処理装置で実行可能なプログラム。
【請求項９】  請求項８に記載のプログラムが記録された、情報処理装置で読取可能な記録媒体。
【請求項１０】  表示装置を備えた情報処理装置において、情報を検索して前記表示装置上に表示するように前記情報処理装置を動作させるための情報閲覧表示方法であって、
表示装置上に表示された情報ページのロケーション情報が履歴情報内のロケーション情報と一致するかを調べるように前記情報処理装置を動作させる解析ステップと、
前記解析ステップによって、前記情報ページのロケーション情報が前記履歴情報内のロケーション情報と一致すると判定されたことに応答して、前記解析ステップにより得られた前記履歴情報内のロケーション情報に対して記録されている戻り先のロケーション情報と、前記表示された情報ページからの戻り先のロケーション情報とを組み合わせて、前記表示された情報ページの戻り先として前記履歴情報に記録するように前記情報処理装置を動作させる記録ステップとを含む、情報閲覧表示方法。
【手続補正３】
【補正対象書類名】明細書
【補正対象項目名】０００２
【補正方法】変更
【補正の内容】
【０００２】
【従来の技術】
近年の情報処理装置およびデータ通信ネットワークの発展により、情報端末を用いて何らかの情報を閲覧する機会が非常に多くなっている。たとえば、いわゆるインターネットにおけるウェブブラウザを用いたウェブページの検索、ＧＵＩ（グラフィカル・ユーザ・インターフェース）を用いた情報端末内のファイルの検索、情報端末で読取可能な形式で何らかの情報記録媒体に記録された辞書または地図の閲覧などがその典型的なものである。
【手続補正４】
【補正対象書類名】明細書
【補正対象項目名】００１６
【補正方法】変更
【補正の内容】
【００１６】
【課題を解決するための手段】
本発明にかかる情報閲覧表示装置は、表示装置とともに用いられる。この情報閲覧表示装置は、表示装置上に表示された情報ページのロケーション情報が履歴情報内のロケーション情報と一致するかを調べるための解析手段と、解析手段によって、情報ページのロケーション情報が履歴情報内のロケーション情報と一致すると判定されたことに応答して、解析手段により得られた履歴情報内のロケーション情報に対して記録されている戻り先のロケーション情報と、表示された情報ページからの戻り先のロケーション情報とを組み合わせて、表示された情報ページの戻り先として履歴情報に記録するための記録手段とを含む。
【手続補正５】
【補正対象書類名】明細書
【補正対象項目名】００２０
【補正方法】変更
【補正の内容】
【００２０】
記録手段は、表示された情報ページが、履歴情報にロケーション情報が記録されている情報ページのいずれかに対して階層的に上位かどうかを分析し、表示された情報ページが履歴情報にロケーション情報が記録されている情報ページのいずれかに対して階層的に上位であれば、表示された情報ページが階層的に上位の情報ページであることを示す情報とともにそのロケーション情報を履歴情報に記録する。このように上位の情報ページか否かを識別するための情報を履歴情報中に記録することにより、履歴情報中において、あるページの上位ページが存在するか否かを容易に判定することが可能になる。
【手続補正６】
【補正対象書類名】明細書
【補正対象項目名】００２２
【補正方法】変更
【補正の内容】
【００２２】
この発明の他の局面にかかる情報閲覧表示方法は、表示装置上に表示された情報ページのロケーション情報が記録されている履歴情報内のロケーション情報と一致するかを調べるよう情報処理装置を動作させる解析ステップと、この解析ステップによって、情報ページのロケーション情報が履歴情報内のロケーション情報と一致すると判定されたことに応答して、解析ステップにより得られた履歴情報内のロケーション情報に対して記録されている戻り先のロケーション情報と、表示された情報ページからの戻り先のロケーション情報とを組み合わせて、情報ページの戻り先として履歴情報に記録するよう情報処理装置を動作させる記録ステップとを含む。
【手続補正７】
【補正対象書類名】明細書
【補正対象項目名】００３２
【補正方法】変更
【補正の内容】
【００３２】
図２には、本実施の形態の装置の機能的な構成を示す。図２を参照して、この情報処理装置１の主たる機能は、マウス１０４、キーボード１０５、表示装置１０６、および記憶装置１１５と協働する、プログラムおよびＣＰＵ１００により実現される情報閲覧表示部１３０により提供される。ここで記憶装置１１５は情報処理装置１におけるＲＡＭ１０１、ＨＤ駆動装置１０７、又はＦＤ駆動装置１０８などの外部記憶装置を指している。
【手続補正８】
【補正対象書類名】明細書
【補正対象項目名】００３３
【補正方法】変更
【補正の内容】
【００３３】
情報閲覧表示部１３０は、ユーザが新しく表示させた情報ページが既に履歴として記録されている履歴情報と一致するかを調べる解析部１４０と、解析部１４０による解析の結果、表示された情報ページが履歴情報の中に存在する場合、解析部１４０で得られた履歴情報の戻り先と情報ページの戻り先とを組み合わせて複数の戻り先とし、これを情報ページの戻り先として、記憶装置１１５に格納された履歴情報に新しく記録するための記録部１４２とを含む。情報閲覧表示部１３０はさらに、記録部１４２により記録された履歴情報の中で、ある情報ページに対して記録された複数の戻り先の一覧表示を表示装置１０６上に表示するための表示部１４４と、表示部１４４によって表示された複数の戻り先の中から１つを、マウス１０４またはキーボード１０５を用いてユーザに選択させるための選択部１４６と、選択部１４６によって選択された戻り先に移動して戻り先の情報ページを表示装置１０６上に表示するための移動表示部１４８とをさらに含む。
【手続補正９】
【補正対象書類名】明細書
【補正対象項目名】００３４
【補正方法】変更
【補正の内容】
【００３４】
ユーザによってマウス１０４やキーボード１０５により新たに入力された情報ページのロケーション情報は、最初に解析部１４０により処理される。その結果を記録部１４２が記憶装置１１５に記憶する。
【手続補正１０】
【補正対象書類名】明細書
【補正対象項目名】００３５
【補正方法】変更
【補正の内容】
【００３５】
記憶装置１１５に記憶されている情報に基づいて表示部１４４が、表示装置１０６上に履歴情報を表示する。その表示に基づいてユーザはマウス１０４またはキーボード１０５を使って指示を情報処理装置１に与える。与えられた指示を選択部１４６が識別し、移動表示部１４８により目的の情報ページを表示装置１０６に表示する。
【手続補正１１】
【補正対象書類名】明細書
【補正対象項目名】００７１
【補正方法】変更
【補正の内容】
【００７１】
そのために本実施の形態の装置では、図８に示すテーブル１１のような構造を有するテーブルを用いる。このテーブル１１は、基本的に図３に示すテーブル１０と同様の構造を持つが、各行が「ＴＯＰ（トップ）」と呼ばれる情報を持つ点で異なっている。この「ＴＯＰ」は、この行の「ＵＲＬ」で示されるロケーション情報に対応する情報ページが、階層構造をなす一群のＵＲＬのうちのトップページであり、これより上位の情報ページが存在しないことを示す。
【手続補正１２】
【補正対象書類名】明細書
【補正対象項目名】００９０
【補正方法】変更
【補正の内容】
【００９０】
ＳＴＥＰ２７では、ｎの行の「ＴＯＰ」欄を‘１’から‘０’へ変更する。続いてＳＴＥＰ２８では、ＳＴＥＰ２１で求めた「ＩＤ」＝‘５’の値に‘１’を足した値（＝６）を「ＩＤ」の値とし、テーブル１４に記録する。このとき、「ＴＯＰ」欄は‘１’とする。これで新たなＵＲＬがテーブル１４に記録され、かつｎ＝５の行の「ＴＯＰ」欄の値が‘１’から‘０’に更新された。
【手続補正１３】
【補正対象書類名】明細書
【補正対象項目名】００９１
【補正方法】変更
【補正の内容】
【００９１】
上記手順に従って処理を行なうことにより、図１１に示すテーブル１４のように行３１が履歴として記録されて、新たな履歴情報となる。
【手続補正１４】
【補正対象書類名】明細書
【補正対象項目名】００９３
【補正方法】変更
【補正の内容】
【００９３】
例えば、ユーザが履歴を遡るために図１３に示すような「ＴＯＰ」ボタン２２をマウス１０４やキーボード１０５などの入力装置で選択したとする。ここでは便宜上「ＴＯＰ」ボタン２２としているが他の名称でも良い。すると現在表示している情報より階層的に上位の情報ページに移動する。
【手続補正１５】
【補正対象書類名】明細書
【補正対象項目名】０１０１
【補正方法】変更
【補正の内容】
【０１０１】
以下、例えば、図１２に示すテーブル１４のような履歴情報が履歴として記録されており、現在表示中の情報は「ＩＤ」＝‘６’の行に記録されている情報だとする。ここでユーザが履歴を遡るために図１３に示すような「ＴＯＰ」ボタン２２をマウス１０４やキーボード１０５などの入力装置で選択したとする。すると現在表示している情報より階層的に上位の情報のページである「ＩＤ」が‘４’の行に記録されている「ＵＲＬ」の情報ページに移動する。このときの情報閲覧表示装置の動作を、図１４を参照して具体的に説明する。現在、図１２に示すテーブル１４で「ＩＤ」＝‘６’の行に対応する“ｈｔｔｐ：／／ｗｗｗ．ｂｂｂ．ｃｏ．ｊｐ／ｄｄｄ／ｃｃｃ／”が表示されているものとする。